(57)【要約】      （修正有）【課題】ディスク側に記録されているコンテンツに関し、テレビ側の設定条件を考慮してコンテンツリストを表示する方法を提供する。【解決手段】ディスク検索処理により検索されたディスク内にあるコンテンツに関して、テレビ側の設定条件（ＴＶ側設定情報に記憶）、例えば、未視聴のコンテンツだけを表示する条件であれば、その条件に基づいてコンテンツリストが表示される。その条件としては、テレビ側で設定されたキーワードに基づく場合、ユーザの視聴履歴に基づく場合などであり、その条件によって、ディスク内のコンテンツを検索し、その結果のコンテンツリストを表示させる。【選択図】図１０
2011082687.tif 000002
【特許請求の範囲】
【請求項１】
コンテンツソース側の複数のコンテンツから所望のコンテンツを検索するコンテンツ検索装置であって、
前記コンテンツソース側から複数のコンテンツの属性情報を取得するコンテンツ属性情報取得部と、
前記コンテンツ属性情報取得部が取得した、前記複数のコンテンツの属性情報を記録するコンテンツ管理情報記憶部と、
コンテンツ検索条件を記憶するコンテンツ検索条件記憶部と、
前記コンテンツ検索条件と前記コンテンツの属性情報とに基づいてコンテンツを検索するコンテンツ検索部と
を有することを特徴とするコンテンツ検索装置。
【請求項２】
前記コンテンツ管理情報記憶部は、コンテンツソース毎に識別された属性情報を記憶することを特徴とする請求項１に記載のコンテンツ検索装置。
【請求項３】
前記コンテンツの属性情報は、コンテンツの再生履歴の有無を含み、前記コンテンツ検索条件は、コンテンツが未再生であることとすることを特徴とする請求項１又は２に記載のコンテンツ検索装置。
【請求項４】
前記コンテンツの属性情報及び前記コンテンツ検索条件がコンテンツの識別情報を含む場合には、前記コンテンツの属性情報及び前記コンテンツ検索条件に含まれる前記コンテンツの識別情報が合致するコンテンツが検索されることを特徴とする請求項１又は２に記載のコンテンツ検索装置。
【請求項５】
前記コンテンツ検索条件を設定する設定部を有することを特徴とする請求項１から４までのいずれか１項に記載のコンテンツ検索装置。
【請求項６】
前記コンテンツ検索条件は、前記コンテンツ検索装置側でのコンテンツの再生履歴に基づいて作成される属性情報によるものであることを特徴とする請求項１又は２に記載のコンテンツ検索装置。
【請求項７】
請求項１から６までのいずれか１項に記載のコンテンツ検索装置により検索されたコンテンツをリスト表示する表示制御部を有することを特徴とするコンテンツ表示装置。
【請求項８】
コンテンツソース側の複数のコンテンツから所望のコンテンツを検索するコンテンツ検索方法であって、
前記コンテンツソース側から複数のコンテンツの属性情報を取得するコンテンツ属性情報取得ステップと、
前記コンテンツ属性情報取得ステップにおいて取得された、前記複数のコンテンツの属性情報を記録するコンテンツ管理情報記憶ステップと、
コンテンツ検索条件を記憶するコンテンツ検索条件記憶ステップと、
前記コンテンツ検索条件と前記コンテンツの属性情報とに基づいてコンテンツを検索するコンテンツ検索ステップと
を有することを特徴とするコンテンツ検索方法。
【請求項９】
コンピュータに請求項８に記載のコンピュータ検索方法を実行させるためのプログラム。
【発明の詳細な説明】
【技術分野】
【０００１】
本発明は、コンテンツ検索装置、それを備えたテレビジョン受信装置及び記録再生装置に関し、特にコンテンツ群の中から所望のコンテンツを検索するコンテンツ検索技術に関する。
【背景技術】
【０００２】
ＤＶＤディスクやブルーレイディスク（ＢＤ）などの駆動装置をテレビジョン受信装置内に内蔵させたディスク駆動装置内蔵テレビも多く開発されている。このような装置では、ディスクに記録されている情報を基にテレビジョン受信装置に、ディスクに記録されているコンテンツを検索し検索されたコンテンツのリストを表示させることにより、ディスク内における所望のコンテンツを選択して再生等をすることができ、便利である。下記特許文献１に記載の技術は、定期録画タイトルの有無を示すフラグに見ることで、未視聴の最も古い録画タイトルを再生するものである。
【先行技術文献】
【特許文献】
【０００３】
【特許文献１】特開２００８−１１８４２７号公報
【発明の概要】
【発明が解決しようとする課題】
【０００４】
しかしながら、ディスクに記録されているコンテンツのリストをディスクから読み込んで表示させる技術は、ディスクが同じであればいつでも同じコンテンツリストしか表示されない。従って、タイトルの検索等を行う作業が面倒であるという問題がある。また、ディスクに記録されているコンテンツのリストを表示させた後に、コンテンツのリストの並び替えをテレビ側のメニューの設定に応じて行うことができる機能はあるが、ディスクを変えるとそれに応じて毎回メニュー設定の実行し直さをしなければならないという問題がある。また、上記特許文献１に記載の技術も、ディスク側の情報に基づく再生処理であるという点に変わりはない。
【０００５】
本発明は、ディスク側の情報のみに頼らずにコンテンツに対する操作を行う技術を提供することを目的とする。
【課題を解決するための手段】
【０００６】
本発明は、以下の処理を行うものである。
１）テレビ側に設定を保存させる（専用ディスクの作成）。
２）ディスク情報をテレビ側に保存させる（視聴状態（未視聴、既視聴、途中まで視聴など〜）、記録情報（タイトル、キーワード、圧縮形式など））。
３）ＴＶ側の設定とディスク管理情報とに基づいてコンテンツを検索する。
４）検索したコンテンツをＴＶ側に表示制御する。
【０００７】
本発明の一観点によれば、コンテンツソース側の複数のコンテンツから所望のコンテンツを検索するコンテンツ検索装置であって、前記コンテンツソース側から複数のコンテンツの属性情報を取得するコンテンツ属性情報取得部と、前記コンテンツ属性情報取得部が取得した、前記複数のコンテンツの属性情報を記録するコンテンツ管理情報記憶部と、装置に設定されたコンテンツ検索条件を記憶するコンテンツ検索条件記憶部と、前記コンテンツ検索条件と前記コンテンツの属性情報とに基づいて、コンテンツを検索するコンテンツ検索部と、を有することを特徴とするコンテンツ検索装置が提供される。例えば、前記コンテンツ検索条件と合致する（一部でも良い）前記コンテンツの属性情報を有するコンテンツを検索することが一般的である。前記コンテンツ管理情報記憶部は、コンテンツソース毎に識別された属性情報を記憶することがこのましい。前記コンテンツの属性情報は、コンテンツの再生履歴の有無を含み、前記コンテンツ検索条件は、コンテンツが未再生であることであることがこのましい。未再生に加えて、途中までの再生を含めても良い。前記コンテンツの属性情報及び前記コンテンツ検索条件がコンテンツの識別情報を含む場合には、前記コンテンツの属性情報及び前記コンテンツ検索条件に含まれる前記コンテンツの識別情報が合致するコンテンツが検索されることがこのましい。前記コンテンツ検索条件を設定する設定部を有することが好ましく、この設定部の設定を変更することで、リスト表示を切り替えて表示させることができ、ユーザの所望の表示を得やすくなる。前記コンテンツ検索条件は、装置側でのコンテンツの再生履歴に基づいて作成される属性情報によるものであることが好ましい。
【０００８】
本発明は、上記のいずれかに記載のコンテンツ検索装置により検索されたコンテンツをリスト表示する表示制御部を有することを特徴とするコンテンツ表示装置であっても良い。
【０００９】
本発明の他の観点によれば、コンテンツソース側の複数のコンテンツから所望のコンテンツを検索するコンテンツ検索方法であって、前記コンテンツソース側から複数のコンテンツの属性情報を取得するコンテンツ属性情報取得ステップと、前記コンテンツ属性情報取得ステップにおいて取得された、前記複数のコンテンツの属性情報を記録するコンテンツ管理情報記憶ステップと、コンテンツ検索条件を記憶するコンテンツ検索条件記憶ステップと、前記コンテンツ検索条件と前記コンテンツの属性情報とに基づいて、コンテンツを検索するコンテンツ検索ステップと、を有することを特徴とするコンテンツ検索方法が提供される。また、本発明は、コンピュータに上記に記載のコンピュータ検索方法を実行させるためのプログラムであっても良く、該プログラムを記録するコンピュータ読み取り可能な記録媒体であっても良い。該プログラムは、インターネットなどの伝送媒体によって取得されるものでも良い。
【発明の効果】
【００１０】
本発明によれば、複数のコンテンツを含むコンテンツ群から所望のコンテンツを検索することで選択することができる。また、検索したコンテンツをリスト表示させることができる。
【００１１】
従って、テレビ或いはＢＤ等の操作の選択肢が広がり、より多くのユーザの利便性を向上させることができる。
【図面の簡単な説明】
【００１２】
【図１】本発明の一実施の形態によるデジタルテレビジョン受信装置の一構成例を示す図である。
【図２】本発明の一実施の形態による記録再生装置の一構成例を示す図である。
【図３】図１のデジタルテレビジョン受信装置と図２の記録再生装置とを、ＨＤＭＩ接続に基づいて接続したシステム構成例を示す図である。
【図４】テレビ側に記憶されるディスク管理情報テーブルの一構成例を示す図である。
【図５】テレビ側において記憶（設定）されているテレビ側設定情報の一例を示す図である。
【図６】本発明の一実施の形態によるディスク管理情報テーブルのＴＶ側への初回の記録処理の流れを示す図である。
【図７】記録再生装置における、次回以降の処理の流れを示すフローチャート図である。
【図８】テレビ側における表示処理の流れを示すフローチャート図である。
【図９】テレビ側の設定又はその修正処理の流れを示すフローチャート図である。
【図１０】本発明の第１の実施の形態による表示制御であって、ディスク検索処理により検索されたディスク内にあるコンテンツと、予めテレビ側に設定されていた設定条件（ＴＶ側設定情報）とを考慮して、両者のＡＮＤをとるような形で表示制御を行う第１の例を示す図であり、ディスク内にあるコンテンツのうち未視聴コンテンツのリストを、表示部に表示させた例を示す図である。
【図１１】本発明の第２の実施の形態による表示制御であって、ディスク検索処理により検索されたディスク内にあるコンテンツと、予めテレビ側に設定されていた設定条件とを考慮して、両者のＡＮＤをとるような形で表示制御を行う第２の例を示す図である。
【図１２】本発明の第３の実施の形態による表示制御であって、ディスク検索処理により検索されたディスク内にあるコンテンツと、予めテレビ側に設定されていた設定条件とを考慮して、両者のＡＮＤをとるような形で表示制御を行う第３の例を示す図である。
【発明を実施するための形態】
【００１３】
以下に、本発明の実施の形態による記録再生装置、及び、それと接続されるテレビジョン受信装置を含むシステムについて図面を参照しながら説明を行う。以下においては、デジタルテレビジョン受信装置と記録再生装置とがＨＤＭＩ接続されている構成を例にして説明するが、記録再生装置が内蔵されているテレビなども対象となる。また、記録再生装置は、実際にはコンテンツを再生し、デジタルテレビジョン受信装置のディスプレイに表示等させる機能を有していれば良く、記録機能の有無は任意である。
【００１４】
図１は、本実施の形態によるデジタルテレビジョン受信装置の一構成例を示す図であり、図２は、記録再生装置の一構成例を示す図である。また、図３は、デジタルテレビジョン受信装置と記録再生装置とを、ＨＤＭＩ接続したシステム構成例を示す図である。接続は、ｉＬＩＮＫ接続であっても良い。デジタルテレビジョン受信装置は、コンテンツを検索し、コンテンツのリストを表示する（通知する）機能を有する。記録再生装置は、コンテンツのソース側として機能し、テレビ側にコンテンツ及びコンテンツ情報を提供する機能を有する。コンテンツソースは、いわゆるコンテンツサーバからインターネットを介して提供するものであっても良い。
【００１５】
図１に示すように、本実施の形態によるデジタルテレビジョン受信装置Ａは、アンテナ１と、アンテナ１からのデジタル放送を受信するデジタル放送受信部３と、放送信号中にあるＳＩ信号などの番組情報に基づいて電子番組表を構成するために必要なデータを取得し、電子番組表を生成する電子番組表取得部３１と、暗号化された放送信号をデコードするデコーダ部１１と、機能部全体を制御する制御部（ＣＰＵ）１７と、機能部を制御するための制御プログラムなどを格納するＲＯＭ１８と、制御プログラムを展開して処理を実行するための高速の記憶装置であるＲＡＭ１９と、音声信号を処理する音声信号処理部２５、音声出力部を構成するスピーカ２１と、映像信号の処理を行う映像信号処理部２７及び映像信号を出力する表示部（ディスプレイ）２３と、を有している。さらに、リモコンからの信号を受信するリモコン受光部１５と、ＨＤＭＩ接続機器とのインタフェイスを構成するＨＤＭＩインタフェイス部５、ＨＤＭＩ信号処理部７を有している。
【００１６】
さらに、上記制御部１７には、コンテンツを検索する検索部１７ａと、コンテンツリストなどの表示の制御を行う表示制御部１７ｂとを有しており、また、ＲＯＭ１８には、ディスク管理情報テーブル１８ａと、テレビ側設定情報１８ｂとが記憶されている。これらにより、コンテンツを検索し表示制御を行うコンテンツ検索及び表示制御装置を構成する。コンテンツ検索及び表示制御技術の詳細については後述する。
【００１７】
図２は、記録再生装置の一構成例を示す図であり、記憶再生装置Ｂは、例えばＢＤレコーダ又はＤＶＤレコーダなどであり、アンテナ４１、チューナ４３、全体を制御する制御部４７、リモコン受光部５１、記憶部５３、電子番組表取得部５７、光ディスク駆動部６３、操作部７６、リモコン受光部５１、記憶部（ＨＤＤ）５３、がビットラインＢＬ２で接続されている。また、上記デジタルテレビジョン受信装置ＡとＨＤＭＩ接続するためのＨＤＭＩインタフェイス部５５，ＨＤＭＩ信号処理部４５を有している。制御部４７には、光ディスク駆動部６３に挿入された光ディスクからディスク内のコンテンツとその属性情報（タイトルなど）を取得するディスク情報取得部４７ａと、取得したディスク情報をテレビＡ側に送信する制御を行うディスク情報送信制御部４７ｂとを有している。コンテンツとしては、光ディスク以外に、記憶部５３（ＨＤＤなど）に記憶されているコンテンツも対象となる。
【００１８】
図３は、デジタルテレビジョン受信装置Ａと記録再生装置（ＢＤレコーダ、ＤＶＤレコーダ）Ｂとが、ＨＤＭＩ接続されている様子を示す図であり、映像信号は記録再生装置ＢからテレビＡ側に流れ、制御信号（ＣＥＣ）の流れは双方向である。図１から図３までの構成により、記録再生装置Ｂの光ディスク、ＨＤＤ内のコンテンツをテレビＡのディスク（表示部）２３に表示させることができるとともに、１つのリモコンで一括して操作ができ、システムとして統一的な制御を行うことができるようになっている。記録再生装置Ｂが内蔵されている場合も状況は同様である。
【００１９】
図４は、テレビＡ側に記憶されるディスク管理情報テーブルの一構成例を示す図である。図４に示すように、ディスク管理情報テーブルは、記録再生装置Ｂ側のディスク（又はＨＤＤ、その中のフォルダなど）を固有に識別するディスクＩＤと、番組情報（ディスク情報）として、例えば、ディスク（又はフォルダなど）のタイトルとコンテンツのジャンル（ＡＲＩＢで規定されているジャンルであっても良い。）と、１つのディスクに複数のコンテンツが含まれている場合には、それぞれのコンテンツの視聴フラグ（例えば、コンテンツが未視聴であれば“０”、視聴済みであれば“１”など）が付されている。このように、テレビ側にディスクの管理情報を有していることが本発明の１つの特徴である。
【００２０】
図５は、テレビ側において記憶（設定）されているテレビ側設定情報の一例を示す図である。テレビ側設定情報は、例えば図示しないリモコン又はメニュー表示からユーザが任意に設定でき（テレビ側設定情報設定部を構成する）、ディスクとは独立して設定されている。この設定部の設定を変更することで、リスト表示を切り替えて表示させることができ、ユーザの所望の表示を得やすくなる。
【００２１】
例えば、図５に示すように、テレビ側設定情報は、ユーザ設定（例としては、父、子供などのユーザ毎の設定）、視聴制限（例えば、Ｒ１５など年齢などを基準とした視聴制限）、視聴履歴（例えば、視聴回数の多いジャンルなどを好みのジャンルとする）、キーワード（タイトルに含まれるキーワード、「ミステリー」、「１つ屋根の下」など）、ジャンル（「ドラマ」、「ニュース」など）を含む。このように、テレビ側において、ディスクとは独立した、すなわちディスク内のコンテンツに依存しない視聴条件などのテレビ側設定情報を記憶していることも本発明の１つの特徴である。
【００２２】
以下に、本実施の形態における処理例について説明する。図６は、本発明の一実施の形態によるディスク管理情報テーブルのＴＶ側へのディスクを１回目に挿入しＴＶ側でその情報を初めて受け取った初回の記録処理の流れを示す図である。まず処理が開始され（ステップＳ１）、ステップＳ２において、例えばＢＤディスクが記録再生装置に挿入され、記録再生装置がそれを検出すると（ＹＥＳ）、ステップＳ３において、図４に示すようなディスク管理情報テーブルを作成するためのディスク管理情報をディスク情報取得部４７ａがディスクから取得する。
【００２３】
そして、ステップＳ４において、ディスク情報送信制御部４７ｂが、ステップＳ３で取得したディスク管理情報テーブルを作成するためのディスク管理情報をディスクＩＤとともにテレビ側に送信し、テレビＡ側のメモリ１８内に格納されているディスク管理情報テーブルの内容に反映させ（記録し）、ステップＳ５で処理を終了する。
【００２４】
図７は、記録再生装置における、同じディスクを挿入しＴＶ側でその情報を２回目以降に受け取った次回以降の処理の流れを示すフローチャート図である。ステップＳ１１において処理を開始し、ステップＳ１２においてディスクの挿入を検出すると（ＹＥＳ）、ステップＳ１３において、ディスクＩＤをテレビ側に送信し、処理を終了する。この処理により、テレビ側において、どのディスクであるかを図６に示す初回の処理を加味して認識することができる。
【００２５】
図８は、テレビ側におけるコンテンツ検索・表示処理の流れを示すフローチャート図である。ステップＳ２１において処理を開始し、ステップＳ２２において、ディスクＩＤの記録再生装置からの送信を検出すると（図７参照：ステップＳ２２でＹＥＳ）、ステップＳ２３において、テレビのメモリ内のディスク管理テーブルを、ディスクＩＤを検索キーとして検索する。次いで、ステップＳ２４において、ステップＳ２３で検索されたディスクＩＤを有するディスクのディスク管理テーブルの内容とテレビＢ側の設定とに基づいて、両者の条件が合致するようにテレビの表示画面において表示制御し、ステップＳ２５において処理を終了する。
【００２６】
図９は、テレビ側における条件設定又はその修正処理の流れを示すフローチャート図である。ステップＳ３１において、処理を開始し（Ｓｔａｒｔ）、ステップＳ３２において、テレビ側における条件設定の入力が検出されると（ＹＥＳ）、ステップＳ３３において、入力された条件をメモリ１８のＴＶ側設定情報１８ｂに記録し、ステップＳ３４において処理を終了する。条件設定の入力は、リモコンからの入力、メニュー画面からの入力・選択などにより可能である。
【００２７】
以下に、コンテンツ検索条件と、コンテンツの属性情報とに基づいてコンテンツを検索し、表示する処理例について説明する。
【００２８】
図１０は、上記のような処理に基づく、本発明の第１の実施の形態による表示制御であって、ディスク検索処理により検索されたディスク内にあるコンテンツと、予めテレビ側に設定されていた設定条件（ＴＶ側設定情報１８ｂ）とを考慮して、両者のＡＮＤをとるような形で表示制御を行う第１の例を示す図であり、ディスク内にあるコンテンツのうち未視聴コンテンツのリストを、表示部２３に表示させた例を示す図である。
【００２９】
すなわち、テレビ側の設定条件（ＴＶ側設定情報１８ｂに記憶）が、コンテンツの未視聴、既視聴のうち未視聴のコンテンツのみを表示させるという条件の設定である場合の表示例を示す図である。図１０に示すように、表示部２３には、ディスクＩＤ１３３がＤＩＳＣ：Ａであるディスクに格納されているコンテンツのうち、テレビ側の設定条件である未視聴のコンテンツのみをリスト表示させるという条件に基づく未視聴リスト１３１が符号１４１に示すように表示される。ここでは、コンテンツのうち１：タイトルＡＡＡのコンテンツ、３：タイトルＣＣＣのコンテンツ、５：タイトルＥＥＥのコンテンツ、６：タイトルＦＦＦのコンテンツが表示されている。この情報は、上記図６に示す処理により作成され、テレビ側に記憶されているディスク管理情報テーブルの内容に基づいて、視聴コンテンツを除く未視聴コンテンツのみをリスト表示させたり、未視聴コンテンツ又は視聴コンテンツを識別できるようにマークを付けたりしてリスト表示させたりしても良い。未視聴コンテンツのみをリスト表示させると、既視聴コンテンツを表示対象から除外できるために表示数が減少し、コンテンツのリストのスクロール量を少なくすることができるなどユーザの操作の負担を軽減することができる。尚、図１０のリスト表示から、いずれかのコンテンツを選択して決定することで、当該コンテンツを視聴することができるようにこのリストをＧＵＩと兼用させるようにしても良い。
【００３０】
図１１は、本発明の第２の実施の形態による表示制御であって、ディスク検索処理により検索されたディスク内にあるコンテンツと、予めテレビ側に設定されていた設定条件とを考慮して、両者のＡＮＤをとるような形で表示制御を行う第２の例を示す図である。ここでは、テレビ側の設定値（検索条件）１５１がドラマ「一つ屋根の下」であり、ディスク側の記録情報１５３に、番組情報であるタイトル「一つ屋根の下」というキーワードを有するコンテンツがあるか否かを検索条件としてディスク側のコンテンツを検索し、かつ、未視聴のコンテンツをリスト表示させるということであれば、図示するように、１）「一つ屋根の下、第１話、２００９年１月３日」、２）「一つ屋根の下、第２話、２００９年２月１０日」が検索され、リスト表示（１５５）される。
【００３１】
このように、本実施の形態では、テレビ側の設定値であるキーワードを含むことを検索条件としてディスク側のコンテンツを検索し未視聴コンテンツのリスト表示を行う。第１の実施の形態と同様に、このリスト表示から、ユーザは、表示されたコンテンツのいずれかを選択して再生させるなどの操作を行うことができる。
【００３２】
図１２は、本発明の第３の実施の形態による表示制御であって、ディスク検索処理により検索されたディスク内にあるコンテンツと、予めテレビ側に設定されていた設定条件とを考慮して、両者のＡＮＤをとるような形で表示制御を行う第３の例を示す図である。ここでは、図５に示すようなテレビ側の設定値（検索条件）１６１が視聴履歴から得られた好みのジャンル「スポーツ」であり、図４に示すディスク側の記録情報１６３のうちから、番組情報のスポーツジャンルを検索し、かつ、未視聴のコンテンツをリスト表示させることで、「サッカー、日本ｖｓブラジル」、「プロ野球  巨人ｖｓ阪神」などがリスト表示される。このように、本実施の形態では、テレビ側における視聴履歴に基づく設定も加味してリスト表示を行うため、よりユーザにとって望ましいリスト１６５を表示させることができる。このリスト表示から、ユーザは、そのコンテンツを再生させるなどの操作を行うことができる。視聴履歴の代わりに操作履歴などを利用しても良い。
【００３３】
また、ＴＶ側の設定により、ディスク情報に依存せずに、ユーザ側（ＴＶ側）の意図により、コンテンツリストの表示を制御（並び替え等）することができるため、ユーザの意思を反映したリスト表示が可能となる。
【００３４】
以上に説明したように、上記の構成によって、テレビ側の設定条件と記録再生装置側のコンテンツ情報との両方を考慮してコンテンツリストを表示させるため、ユーザにとって望ましいコンテンツリストを表示させることができる。また、この表示リストからコンテンツ視聴（再生）などの操作を行うユーザインターフェイスとして利用することができる。従って、絞り込んだ条件のコンテンツリストを表示させ、コンテンツを再生等させることができるため、リスト表示を絞り込んで行うことで操作の負担が軽減し、ユーザの利便性を向上させることができるという利点がある。
【００３５】
上記の実施の形態において、添付図面に図示されている構成等については、これらに限定されるものではなく、本発明の効果を発揮する範囲内で適宜変更することが可能である。その他、本発明の目的の範囲を逸脱しない限りにおいて適宜変更して実施することが可能である。例えば、上記の例では、光ディスク媒体などに記録されているコンテンツのリスト表示技術について説明したが、例えばある日の放送番組に関する検索など放送番組のリスト表示に用いても良い。
【００３６】
また、本実施の形態で説明した機能を実現するためのプログラムをコンピュータ読み取り可能な記録媒体に記録して、この記録媒体に記録されたプログラムをコンピュータシステムに読み込ませ、実行することにより各部の処理を行ってもよい。尚、ここでいう「コンピュータシステム」とは、ＯＳや周辺機器等のハードウェアを含むものとする。
【００３７】
また、「コンピュータシステム」は、ＷＷＷシステムを利用している場合であれば、ホームページ提供環境（あるいは表示環境）も含むものとする。
【００３８】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また前記プログラムは、前述した機能の一部を実現するためのものであっても良く、さらに前述した機能をコンピュータシステムにすでに記録されているプログラムとの組み合わせで実現できるものであっても良い。
【産業上の利用可能性】
【００３９】
本発明は、記録再生装置を内蔵したテレビジョン受信装置に利用可能である。
【符号の説明】
【００４０】
Ａ…デジタルテレビジョン受信装置、Ｂ…記録再生装置、１…アンテナ、３…デジタル放送受信部、５…ＨＤＭＩインタフェイス部、７…ＨＤＭＩ信号処理部、１１…デコーダ部、１５…リモコン受光部、１７…制御部（ＣＰＵ）、１７ａ…検索部、１７ｂ…表示制御部、１８…ＲＯＭ、１８ａ…ディスク管理情報テーブル、１８ｂ…テレビ側設定情報、１９…ＲＡＭ、２１…スピーカ、２３…表示部（ディスプレイ）、２５…音声信号処理部、２７…映像信号処理部、３１…電子番組表取得部、４１…アンテナ、４３…チューナ、４５…ＨＤＭＩ信号処理部、４７…制御部、４７ａ…ディスク情報取得部、４７ｂ…ディスク情報送信制御部５１…リモコン受光部、５３…記憶部（ＨＤＤ）、５５…ＨＤＭＩインタフェイス部、５７…電子番組表取得部、６３…光ディスク駆動部、７６…操作部。
【図１】
2011082687.tif 000003
【図２】
2011082687.tif 000004
【図３】
2011082687.tif 000005
【図４】
2011082687.tif 000006
【図５】
2011082687.tif 000007
【図６】
2011082687.tif 000008
【図７】
2011082687.tif 000009
【図８】
2011082687.tif 000010
【図９】
2011082687.tif 000011
【図１０】
2011082687.tif 000012
【図１１】
2011082687.tif 000013
【図１２】
2011082687.tif 000014